【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
椀型の底部に軸受けを持つハウジングを向かい合わせて、２個の傘型歯車を軸端に固着して歯車を内に２軸を椀外部に通し、各歯車側の軸端に軸受け穴を設けて其の２軸の穴に、挿入の軸を持ち且つ中心に垂直の軸を設けて其の垂直軸に、前記２枚の傘型歯車と噛み合い自由に回転する位置に歯車を設け且つ其の軸の延長先を突き合わせ結合したハウジングに連結して、垂直軸を介して３個の歯車にハウジングの回転を伝達する事を特徴とする差動装置
【手続補正２】
【補正対象書類名】明細書
【補正対象項目名】全文
【補正方法】変更
【補正の内容】
【発明の詳細な説明】
【発明の名称】三輪自転車の差動装置
【技術分野】
【０００１】本発明は三輪自転車の差動装置を小型、軽量化、に関する。
【背景技術】
【０００２】現在の全ての三輪自転車は後輪のどちらかを駆動して他方を自由輪として走行する。然し片輪駆動でも自由輪側に旋回する場合には問題ないが、駆動輪側に旋回、特に急旋回の時は走行不能となり、下車して引き廻さなければならない。その不便、不自由が咄嗟の旋回に支障となり、走行の安全性に欠ける。【０００３】以下図８にて従来考案されてきた差動装置について説明する。３２、３６は太陽歯車、３４は遊星歯車３０，３９は車輪軸で３２，３６の太陽歯車に固定される。又軸３０には軸穴３１、軸３９には軸穴３７が設けられている。【０００４】３３は，遊星歯車３４を３２，３６の太陽歯車とかみ合わせる保持具で、遊星歯車を回転可能の軸３５を持ち、且つ中心に穴４３を設け軸３８を通し、其の軸３８の両端を車輪軸穴３１，３７に挿入回転する。
以下３３を遊星保持本体と称し又３５を遊星保持軸と称す。４１，４２はハウジングでボルト４５にて組み合わされ、４３，４４は、ハウジングを組み合わせたとき軸３５を収める窪みである。【０００５】４０は走行の動力の受けギヤーで、４１と直結して走行の動力をハウジングの４３，４４から３５の軸に伝え、遊星歯車３４は軸３８を中心に３２、３６と噛み合い、差動装置を形成する。【０００６】ここで問題は軸３５が遊星保持母体３３に取り付けられる部所は、中心にじく３８が通ているので、軸穴３７の外周と３３の外周の間部分である。走行動力を受ける軸３５は強固に３３に取り付ける為には、３３の外周を大大きく取り、３５の接続部を肉厚くしなければあらない。これにて３３は径が大となり、太陽歯車は必要以上に大となりハウジングも大型となる。
【発明の開示】
【発明が解決しようとする課題】
【０００７】三輪自転車の様な、弱小な人間動力で走行するには可能な限り小型化して軽量、結果的に安価に需要に応えなければ消費者に受け入れてもらえない。その点で従来の構造では小型化は出来ない。【０００８】本発明は従来の差動装置が抱えていた問題を解決して小型、軽量、安価な差動装置を実現して三輪自転車の旋回が円滑になり、其の効果として安全走行が実現出来る極小型作動装置の実現を目的とする。【０００９】小型化を実現する鍵は必要強度を保ちながら太陽歯車を極小にして、差動装置を収容するハウジングを小型にする事にある。それには、３３の遊星保持本体の外径が太陽傘型歯車の歯の内側の径の中に納まるような構造とすることである。【００１０】以下本発明を説明する。図２は本発明の作動装置の正面外観図である。１ａ，１ｂは差動装置を内蔵するハウジングで１ｃは１ｂと一体の回転受動ギヤーである。２ａ２ｂは車輪軸。１５は複数個あってハウジング１ａ，１ｂを合体して、締め付けのボルトである。【００１１】。図４は図２のＡ−Ａの断面図で、１ｂはハウジング１ａの合わせ面、４は遊星歯車７の保持金具、７は遊星歯車で４に設けられた垂直軸９にて太陽歯車５ａ，と噛み合う位置で保持される。軸９は其の延長先をハウジングの窪み１０ａに固定される。【００１２】図５は図３のＢ−Ｂの断面図で内部構造を示す図である。１ａ，１ｂはハウジング、  ２ａ，２ｂは車輪軸、３ａ，３ｂは２ａ、２ｂの軸端に設けた軸穴、  ４ａ，４ｂは４と同体でその両端に設けた軸で前記３ａ，３ｂに挿入の回転軸、１０ａ、１０ｂはハウジング１ａ，１ｂに設けられた空洞で軸９を挟む。８は遊星歯車の抜け落ち止めのスナップリング。以下４を遊星保持本体、４、４ａ，４ｂを遊星保持具と称し、又９を遊星軸と称す。【００１３】６ａ，６ｂは５ａ，５ｂと２ａ，２ｂを固定のキーである、ここで重要な事は遊星保持本体４と車軸に挿入の軸４ａ，４ｂが同体であることに依って太陽歯車が小径となっても遊星軸９は強固に遊星保持本体４と結合しているので、遊星は脱落する事無く、太陽歯車と確り噛み合い小型に製作出来る。【００１４】以上に基き、差動の説明をする。受動ギヤーで動力はハウジング１ａ，１ｂを通して、支持軸９の遊星歯車７に伝達し  ７は車軸１ａ，１ｂを中心に回転を始める。その際１ａ，１ｂ共に回転に抵抗が無ければ両軸２ａ，２ｂは同一回転するが、どちらか一方、仮に１ａに抵抗がかかり回転が落ちると遊星歯車７は太陽歯車５ａと噛み合い転がりながら其の回転を５ｂに伝達して差動効果が発生する
【発明の効果】
【００１５】本発明の遊星保持具は本体に直接軸を有しているので図７で見られる様、遊星保持軸の軸穴を本体を貫通して軸を頑丈に軸を設置できる。したがって太陽歯車を機械的強度が許す限り少歯数，小径が選べてハウジングをコンパクト、軽量化しコストを下げられる。【００１６】又、一個作りの傘型歯車は歯数が減少するほど低価格となるので、本発明はこれらを選ぶ事に依り総製作費を飛躍的に低減することが可能となる。それは総合して差動装置は安価になり、人力で走行する価格競争の激しい三輪自転車の製作の推進に役立ち、旋回自在、安全で乗り易い三輪自転車の普及に大いに貢献する。
【発明を実施する為の最良の形態】
【００１７】図５、に基いて説明する。差動装置を小型化の本命は太陽歯車を小型化にあるが、其の為の遊星保持具の構造として、保持本体４と軸４ａ，と４ｂを一体にすることである。それには太陽歯車の歯の内側に、径に適合の径の丸棒を、向かい合って定位置する太陽歯車間の隔の長さを残して４ａ，４ｂの軸を削り出して保持具４，４ａ、４ｂを作る、
【００１８】図５にて遊星軸９は遊星保持具４と同体になっているが、この方法では製作が複雑となり製作費が高くなるので遊星軸９を別に作り遊星保持本体４に穿孔して其の穴に挿入の方法とする。図７はこれを示す。
図７に於い４ｃは遊星保持本４の幅の中心に４ａ、４ｂの軸心に垂直の軸穴、９は遊星軸、９ａは遊星支持軸９を４に固定するピンである。８は、遊星歯車を定位置の止めるスナップリング。
【００１９】ここで４，７、８．９，９ａを夫々の位置に組み立てて遊星歯車の組み合わせセット部品を作り次いで１ａ、１ｂの軸穴に夫々太陽歯車を装着した車輪軸２ａ、２ｂを通し向かい合わせて。前記の組み立てた遊星セットの４ａ，４ｂを３ａ、３ｂに挿入して１ａ、１ｂを合わせてボルト１５で締め付ければより小型差動装置が実現する。
【図面の簡単な説明】
【００２０】
【図１】本発明を三輪自転車に装着の図
【図２】本発明の正面姿図
【図３】本発明の側面姿図
【図４】図２のＡ−Ａ断面図
【図５】図３のＢ−Ｂの断面図
【図６】図５の機構部の正面詳細図
【図７】図６のＣ−Ｃの詳細拡大断面図
【図８】従来の背景技術の説明の図
【符合の説明】
【００２１】１ａ  １ｂ      ハウジング
１ｃ            回転の受動ギヤー
２ａ  ２ｂ      車軸
３ａ  ３ｂ      遊星歯車を保持軸の受け穴
４              遊星歯車を保持する本体
４ａ  ４ｂ      遊星歯車保持本体を車軸に挿入の軸
４ｃ            遊星歯車支持軸の軸穴
５ａ  ５ｂ      太陽歯車
６ａ  ６ｂ      太陽歯車と車輪軸を結着のキー
７              遊星歯車
８              遊星歯車の抜け落ち止めリング
９              遊星歯車の支持軸
９ａ            遊星歯車支持軸を保持本体に固定のピン
１０ａ  １０ｂ  遊星支持軸を連結のハウジングの窪み
１５            ハウジングを合わせ締め付けボルト複数
１６ａ  １６ｂ  車軸の軸受け
１７ａ  １７ｂ  車輪
１８            フレーム
１９            動力伝達ベルト
２０            ペダルの回転を伝達のギヤー
２１            ペダル
３０  ３９      車輪軸
３１  ３７      車軸に設けた軸穴
３２  ３６      太陽歯車
３３            遊星歯車保持本体
３４            遊星歯車
３５            遊星歯車支持軸
３８            遊星歯車本体の支持軸
４０            動力受けギヤー
４１  ４２      ハウウジング
４３  ４４      遊星軸を連結のハウジングの窪み
４５            ハウジングの締め付けボルト
【手続補正３】
【補正対象書類名】図面
【補正対象項目名】図１
【補正方法】変更
【補正の内容】
【図１】
2008224020.tif 000001
【手続補正４】
【補正対象書類名】図面
【補正対象項目名】図４
【補正方法】変更
【補正の内容】
【図４】
2008224020.tif 000002
【手続補正５】
【補正対象書類名】図面
【補正対象項目名】図５
【補正方法】変更
【補正の内容】
【図５】
2008224020.tif 000003
【手続補正６】
【補正対象書類名】図面
【補正対象項目名】図７
【補正方法】変更
【補正の内容】
【図７】
2008224020.tif 000004
【手続補正７】
【補正対象書類名】図面
【補正対象項目名】図８
【補正方法】追加
【補正の内容】
【図８】
2008224020.tif 000005